(57)【要約】      （修正有）【課題】ポケットの大型化によるデザイン性の低下を防止しつつ、スマートフォン等の携帯端末の落下を防止できるシャツを提供する。【解決手段】ポケット１０の開口１８の一部を閉塞する閉塞部１２を備え、閉塞部は布状であって、その一部がポケットの内部で前身頃２及びポケット形成部１１の一方に片持ち状に固定されており、前身頃及びポケット形成部の他方の一部と係合可能な係合部（ボタン２５）を備えており、ポケットに携帯端末１００を入れた状態において、閉塞部１２は、ポケットの内部からポケットの外部で携帯端末１００を覆い、さらにポケットの内部で前身頃２及びポケット形成部の他方の一部とボタン穴２０を介して係合可能である。【選択図】図４
0003201468.tif 000002
【実用新案登録請求の範囲】
【請求項１】
身頃に布状のポケット形成部が縫われたポケットを備えるシャツにおいて、
前記ポケットの開口の一部を閉塞する閉塞部を備え、
前記閉塞部は、布状であって、その一部が前記ポケットの内部で前記身頃及び前記ポケット形成部の一方に片持ち状に固定されており、
前記閉塞部は、前記身頃及び前記ポケット形成部の他方の一部と係合可能な係合部を備えており、
前記ポケットに被収容物を入れた状態において、前記閉塞部は、前記ポケットの内部から前記ポケットの外部で前記被収容物を覆い、さらに前記ポケットの内部で前記身頃及び前記ポケット形成部の他方の一部と係合可能であることを特徴とするシャツ。
【請求項２】
前記閉塞部の開口からの前記ポケットの外部への張出長さは、０．５ｃｍ以上であることを特徴とする請求項１に記載のシャツ。
【請求項３】
前記ポケットを正面視したときに、前記閉塞部の幅が前記ポケットの開口幅よりも狭いことを特徴とする請求項１又は２に記載のシャツ。
【請求項４】
前記閉塞部は、前記ポケット形成部又は前記身頃と異なる色又は模様をしていることを特徴とする請求項１〜３のいずれかに記載のシャツ。
【請求項５】
前記閉塞部は、前記ポケット形成部又は前記身頃と異なる生地であることを特徴とする請求項１〜４のいずれかに記載のシャツ。
【請求項６】
前身頃に布状のポケット形成部が縫われたポケットを備えるシャツにおいて、
前記ポケットの開口の一部を閉塞する閉塞部を備え、
前記閉塞部は、長方形状の布であって、長手方向の一方の端部近傍が前記ポケットの内部で前記前身頃に片持ち状に縫い付けられており、
前記ポケット形成部は、前記前身頃側の面にポケット側係合部を備えており、
前記閉塞部は、その長手方向の他方の端部近傍に前記ポケット側係合部と係合可能な閉塞側係合部を備えており、
前記ポケットに長方形状の携帯端末を入れた状態において、前記閉塞部は、前記ポケットの外部で前記携帯端末の挿入方向の基端部を覆うように折り返して、前記閉塞側係合部を前記ポケットの内部で前記ポケット側係合部と係合可能であり、
前記閉塞部の折り返し部分は、前記閉塞側係合部を前記ポケット側係合部と係合させた状態において、前記ポケットの開口から１ｃｍ以上離間していることを特徴とするシャツ。
【考案の詳細な説明】
【技術分野】
【０００１】
本考案は、シャツに関するものである。本考案は、スマートフォン等の携帯端末の落下を防止する機能を備えたシャツに関するものである。
【背景技術】
【０００２】
ビジネスマンの中には、ズボンのポケットが膨らむ等の理由により、ワイシャツの胸ポケットにスマートフォン等の携帯端末を入れて持ち歩く者がいる。
【０００３】
しかしながら、携帯端末を収容した胸ポケットは、携帯端末の重量によって開口が広がり、開口が広く上方に開いた状態となっている。そのため、屈む等したときに胸ポケットの開口から携帯端末が落下してしまう場合があった。
【０００４】
そこで、近年、携帯端末の落下を防止できるポケットが開発されている（例えば、特許文献１）。
特許文献１のポケットは、ポケットの開口を覆い被せるようにマチを設け、ポケットから携帯端末が落下することを防止している。
【先行技術文献】
【特許文献】
【０００５】
【特許文献１】登録実用新案第３１７４７０４号公報
【考案の概要】
【考案が解決しようとする課題】
【０００６】
近年、スマートフォン等の携帯端末では、大型化が進んでおり、通常のポケットでは、携帯端末の大部分がポケットから張り出してしまう。そのため、特許文献１のポケットの構造では、携帯端末を全て覆う必要があるので、携帯端末が大きくなると、必然的にポケットも大きくなりすぎてしまう。すなわち、特許文献１のポケットの構造では、シャツ全体に占めるポケットの割合が大きくなってしまい、デザイン性が損なわれてしまうという問題があり、更なる改善の余地があった。
【０００７】
そこで、本考案は、ポケットの大型化によるデザイン性の低下を防止しつつ、スマートフォン等の携帯端末の落下を防止できるシャツを提供することを課題とする。
【課題を解決するための手段】
【０００８】
上記した課題を解決するための請求項１に記載の考案は、身頃に布状のポケット形成部が縫われたポケットを備えるシャツにおいて、前記ポケットの開口の一部を閉塞する閉塞部を備え、前記閉塞部は、布状であって、その一部が前記ポケットの内部で前記身頃及び前記ポケット形成部の一方に片持ち状に固定されており、前記閉塞部は、前記身頃及び前記ポケット形成部の他方の一部と係合可能な係合部を備えており、前記ポケットに被収容物を入れた状態において、前記閉塞部は、前記ポケットの内部から前記ポケットの外部で前記被収容物を覆い、さらに前記ポケットの内部で前記身頃及び前記ポケット形成部の他方の一部と係合可能であることを特徴とするシャツである。
【０００９】
本考案のシャツは、身頃に布状のポケット形成部が縫われて、ポケットが形成されるものであり、ポケットの開口から被収容物の一部又は全部を収容可能なものである。
本考案の構成によれば、閉塞部は、ポケットの内部からポケットの外部に張り出して被収容物の外側を覆い、さらにポケットの内部で身頃又はポケット形成部の一部と係合する。そのため、たとえ被収容物が大きくポケットから端部が張り出すものであっても、閉塞部によってポケットの容量を被収容物の張出方向に延ばすことができ、ポケットから被収容物が落下することを防止することができる。
また、本考案の構成によれば、閉塞部は、ポケットの内部から外部に出て、さらに内部に戻るので、外見上、ポケットとは別の独立した閉塞部の端部がポケットの内部に入っているように見せることができ、あたかもポケットにチーフが取り付けられているように見せることができる。そのため、ポケットそのものを過度に大きくする必要がなく、閉塞部によるポケットの拡張によってデザイン性が損なわれることも防止できる。
【００１０】
請求項２に記載の考案は前記閉塞部の開口からの前記ポケットの外部への張出長さは、０．５ｃｍ以上であることを特徴とする請求項１に記載のシャツである。
【００１１】
本考案の構成によれば、０．５ｃｍ以上閉塞部が開口から張り出しているため、様々な大きさの被収容物に対応しやすくなる。
【００１２】
請求項３に記載の考案は、前記ポケットを正面視したときに、前記閉塞部の幅が前記ポケットの開口幅よりも狭いことを特徴とする請求項１又は２に記載のシャツである。
【００１３】
本考案の構成によれば、よりポケットと閉塞部が独立した物であるように見せることができる。
【００１４】
請求項４に記載の考案は、前記閉塞部は、前記ポケット形成部又は前記身頃と異なる色又は模様をしていることを特徴とする請求項１〜３のいずれかに記載のシャツである。
【００１５】
本考案の構成によれば、閉塞部にポケット又は身頃と異なる印象を持たせることができる。
【００１６】
請求項５に記載の考案は、前記閉塞部は、前記ポケット形成部又は前記身頃と異なる生地であることを特徴とする請求項１〜４のいずれかに記載のシャツである。
【００１７】
ここでいう「異なる生地」とは、縫い目や材質、模様等が異なる生地を表す。
【００１８】
本考案の構成によれば、閉塞部にポケット又は身頃と異なる印象を持たせることができる。
【００１９】
請求項６に記載の考案は、前身頃に布状のポケット形成部が縫われたポケットを備えるシャツにおいて、前記ポケットの開口の一部を閉塞する閉塞部を備え、前記閉塞部は、長方形状の布であって、長手方向の一方の端部近傍が前記ポケットの内部で前記前身頃に片持ち状に縫い付けられており、前記ポケット形成部は、前記前身頃側の面にポケット側係合部を備えており、前記閉塞部は、その長手方向の他方の端部近傍に前記ポケット側係合部と係合可能な閉塞側係合部を備えており、前記ポケットに長方形状の携帯端末を入れた状態において、前記閉塞部は、前記ポケットの外部で前記携帯端末の挿入方向の基端部を覆うように折り返して、前記閉塞側係合部を前記ポケットの内部で前記ポケット側係合部と係合可能であり、前記閉塞部の折り返し部分は、前記閉塞側係合部を前記ポケット側係合部と係合させた状態において、前記ポケットの開口から１ｃｍ以上離間していることを特徴とするシャツである。
【００２０】
本考案の構成によれば、閉塞部は、ポケットの内部からポケットの外部に張り出し、その張出部分が収容物を覆って折り返し、さらにポケットの内部で身頃又はポケットの一部と係合可能であるので、たとえ被収容物が大きくポケットから端部が張り出すものであっても、閉塞部で被収容物の張出部分を覆うことが可能であり、ポケットから被収容物が落下することを防止することができる。
また、本考案の構成によれば、外見上、ポケットとは独立した閉塞部の端部がポケットの内部に入っているように見えるため、閉塞部を例えばハンカチ生地にすることによって、あたかもポケットにハンカチが取り付けられているように見せることができ、ポケットの拡張によってデザイン性が損なわれることを防止できる。
【考案の効果】
【００２１】
本考案の構成によれば、ポケットの大型化によるデザイン性の低下を防止しつつ、スマートフォン等の携帯端末の落下を防止できる。
【図面の簡単な説明】
【００２２】
【図１】本考案の第１実施形態のシャツの正面図である。
【図２】図１のシャツの背面図である。
【図３】図１の要部の拡大図である。
【図４】図３の要部のＡ−Ａ断面図である。
【図５】図１の要部の斜視図であり、ポケットの開口を閉塞部で閉じた状態を示す。
【図６】図１の要部の斜視図であり、ポケットの開口を開放した状態を示す。
【図７】図１の要部の斜視図であり、図５の係合状態を解除した状態を示す。
【図８】本考案の第２実施形態のシャツの要部の断面図である。
【図９】本考案の第３実施形態のシャツの要部の断面図である。
【図１０】本考案の第４実施形態のシャツの要部の断面図である。
【図１１】本考案の第５実施形態のシャツの要部の断面図である。
【図１２】本考案の第６実施形態のシャツの要部の正面図である。
【考案を実施するための形態】
【００２３】
以下に、本考案の第１実施形態について説明する。
なお、以下の説明において、特に断りがない限り、上下左右の位置関係は、通常の設置位置を基準とする。すなわち、使用者がシャツを着た状態を基準とする。
【００２４】
本考案の第１実施形態に係るシャツ１は、図１のように、前身頃２にポケット１０を備えた長袖シャツであり、ポケット１０に携帯電話やスマートフォン等の携帯端末１００（被収容物）を収容したときに、携帯端末１００の落下を防止する落下防止機能を備えた閉塞部１２が設けられたものである。そして、シャツ１は、このポケット１０に設けられた閉塞部１２に主な特徴を有している。
そこで、以下において、ポケット１０付近の構造について重点的に説明する。
【００２５】
シャツ１は、図１，図２から読み取れるように、前身頃２と、後身頃３と、肩ヨーク４と、衿５と、袖６と、袖口７と、前立て８とを有しており、これらの各部分に裁断された布地を縫製して形成されている。
また、前身頃２には、図３のように、ポケット形成部１１が取り付けられて、上方に向けて開口したポケット１０が形成されている。本実施形態のポケット１０は、具体的には、胸ポケットであり、使用者がシャツを着用したときに、使用者の胸近傍に配されるポケットである。
【００２６】
ポケット形成部１１は、図３，図４に示されるように、正面視略長方形状の布状体であり、前身頃２とともに収容空間１７を形成する部位である。
具体的には、ポケット形成部１１は、正面視すると、上辺、右辺、左辺、及び下辺を有し、右辺と下辺及び左辺と下辺でなすそれぞれの角部が丸まって円弧状となっている。
ポケット形成部１１は、上辺以外の辺に属する縁近傍が前身頃２に対して縫い付けられており、上辺以外の辺に沿って収容空間１７を囲むように前身頃２に縫い付けられて前身頃２と一体となっている。
収容空間１７は、前身頃２及びポケット形成部１１によって囲繞される空間であり、開口１８を介して上方に向けて開放した空間である。本実施形態の収容空間１７は、上方以外の方向が閉じられており、上方のみに開放している。そして、収容空間１７は、開口１８から携帯端末１００の大部分又は全部を収容可能となっている。
【００２７】
また、ポケット形成部１１は、上辺に属する縁近傍にボタン穴２０（本体側係合部）が形成されている。
ボタン穴２０は、ボタン２５と係合可能な係合穴であり、ポケット形成部１１を厚み方向に貫通した貫通孔である。ボタン穴２０は、所定の方向にスリット状に延びている。本実施形態のボタン穴２０は、図６のように、閉塞部１２の張出方向に延びており、具体的には、ボタン穴２０は、上下方向に直線上に延びている。
【００２８】
ポケット形成部１１の生地は、綿、麻、及びポリエステルから選ばれる少なくとも１種が採用できる。本実施形態のポケット形成部１１の生地は、前身頃２と同一の生地を採用しており、前身頃２と色及び模様が統一されている。
【００２９】
閉塞部１２は、図４，図５から読み取れるように、前身頃２とポケット形成部１１の上辺とで形成される開口１８の一部又は全部を閉塞する部材である。すなわち、閉塞部１２は、収容空間１７を遮る部材である。
閉塞部１２は、長方形状の布状体であり、帯状に延びている。
【００３０】
閉塞部１２は、図５，図６から読み取れるように、長手方向の一方の端部又はその近傍がポケット１０の内部で前身頃２に縫い付けられており、前身頃２に対して片持ち状に支持されている。すなわち、閉塞部１２は、長手方向の一方の端部が前身頃２と一体となっており、長手方向の他方の端部が自由端となっている。
【００３１】
また、閉塞部１２は、図６，図７から読み取れるように、自由端側の端部又はその近傍にボタン２５（閉塞側係合部）が設けられている。
ボタン２５は、ボタン穴２０と対をなし、ボタン穴２０に対して係合可能な部位である。ボタン２５は、円板状となっている。
【００３２】
閉塞部１２の幅（短手方向の長さ）は、図３のように、正面視したときに、ポケット形成部１１の幅（短手方向の長さ）よりも短い。
【００３３】
閉塞部１２の生地は、前身頃２やポケット形成部１１とは異なる色及び／又は模様の生地で形成されている。さらに、本実施形態の閉塞部１２は、前身頃２やポケット形成部１１と異なる材質で形成されている。
閉塞部１２の生地は、綿、麻、絹、モヘア、アンゴラ、アルパカ、カシミヤ、ウール、レーヨン、キュプラ、アセテート、プロミックス、ポリエステル、ナイロン、及びアクリルから選ばれる少なくとも１種が採用できる。
【００３４】
続いて、携帯端末１００をポケット１０に入れて、閉塞部１２をポケット形成部１１に固定した状態（収容状態）のシャツ１の各部位の位置関係について説明する。なお、説明の都合上、収容空間１７内で収まらない長さを持った携帯端末１００を使用する場合について説明するが、当然、シャツ１は、携帯端末１００は収容空間１７内で収まるものでも対応可能である。
【００３５】
ポケット１０は、上記したように胸ポケットであり、図１に示されるように、シャツ１の上下方向において前身頃２の中央よりも上方であって、前立て８よりも袖６側に位置している。
【００３６】
携帯端末１００は、略長方形状の板状体であり、その大部分がポケット１０の内部に収まっており、残部がポケット形成部１１の上辺と前身頃で形成された開口１８から上方に張り出している。すなわち、携帯端末１００は、その一部がポケット１０の内部から開口１８を通過してポケット１０の外部に露出している。
具体的には、携帯端末１００は、長手方向に開口１８からポケット１０の内部に挿入されており、挿入方向基端部が開口１８からポケット１０の外部に張り出している。
【００３７】
閉塞部１２は、図４のように、携帯端末１００の背面側の一部を覆いながら、ポケット１０の内外に延びており、ポケット１０の外部で携帯端末１００の背面側（前身頃２側）から携帯端末１００の上端部の外側を覆って折り返されている。そして、閉塞部１２は、携帯端末１００の前面側（ポケット形成部１１側）で携帯端末１００の前面側の一部を覆いながら、ポケット１０の内外に延びており、ポケット１０の内部でボタン２５がボタン穴２０に挿入されてボタン穴２０と係合している。すなわち、閉塞部１２は、ポケット１０の内部から延び、携帯端末１００の挿入方向基端部を覆うように携帯端末１００の背面側から前面側に跨り、さらにポケット１０の内部で、ボタン２５がポケット形成部１１のボタン穴２０と係合している。そのため、閉塞部１２は、ポケット形成部１１と開方向に係止されて開方向への移動が制限されており、使用者が屈む等して携帯端末１００が閉塞部１２側に移動しても携帯端末１００は落下しない。
【００３８】
図３に示される閉塞部１２の開口１８からの張出長さＨは、０．５ｍｍ以上５ｃｍ以下であることが好ましく、１ｃｍ以上３ｃｍ以下であることがより好ましい。
張出長さが０．５ｍｍ未満になると、収容空間１７の拡張効果がほとんど得られない。張出長さが５ｃｍ超過となると、閉塞部１２が目立ちすぎて、全体としてのデザイン性が損なわれるおそれがある。
【００３９】
閉塞部１２の幅は、携帯端末１００の幅（短手方向の長さ）よりも大きく、閉塞部１２は、携帯端末１００の開口１８からの露出部位の正面及び背面を覆い被せている。
【００４０】
携帯端末１００をポケット１０から取り出す場合には、図６，図７から読み取れるように、閉塞部１２のボタン２５とポケット形成部１１のボタン穴２０の係合状態を解除して、開口１８を開放した開放状態とし、携帯端末１００の開口１８からの張出部分を持って収容空間１７から携帯端末１００を取り出す。
【００４１】
本実施形態のシャツ１であれば、閉塞部１２が携帯端末１００の張出方向端部を覆って開口１８を閉塞するため、使用者が屈む等して携帯端末１００が閉塞部１２側に移動しても携帯端末１００が落下することを防止できる。
また、本実施形態のシャツ１であれば、携帯端末１００が閉塞部１２とポケット１０によって保護されているため、外的要因によって携帯端末１００が傷つくことも防止できる。
【００４２】
本実施形態のシャツ１であれば、ポケット形成部１１及び前身頃２と異なる色又は模様の閉塞部１２を使用しており、閉塞部１２が収容空間１７から開口１８を経由して上方に向けて張り出しているため、閉塞部１２の一部がポケット形成部１１内に入っているように見える。そのため、例えば、閉塞部１２をハンカチ生地等で形成することで、閉塞部１２をハンカチ等に模して見せることができる。
【００４３】
本実施形態のシャツ１であれば、閉塞部１２は開口１８から張り出して、携帯端末１００の挿入方向の基端部を覆い被せているため、ポケット形成部１１の開口１８から張り出す大きさの携帯端末１００を収容した場合であっても、携帯端末１００を閉塞部１２で隠しつつ、収容空間１７を拡張することができる。
【００４４】
上記した実施形態では、ボタン２５を閉塞部１２に設け、対をなすボタン穴２０をポケット形成部１１に設けたが、本考案はこれに限定されるものではなく、図８のようにボタン２５をポケット形成部１１に設け、対をなすボタン穴２０を閉塞部１２に設けてもよい。
【００４５】
上記した実施形態では、ボタン２５をボタン穴２０に係合させて、閉塞部１２をポケット形成部１１に固定したが、本考案はこれに限定されるものではなく、図９のようにボタン２５を環状又は半環状の紐状体３０と係合させてもよい。
【００４６】
上記した実施形態では、ボタン２５をボタン穴２０に係合させて、閉塞部１２をポケット形成部１１に固定したが、本考案はこれに限定されるものではなく、図１０のようにボタン２５とボタン穴２０の代わりに対をなすスナップボタン３１，３２であってもよい。すなわち、閉塞部１２側が凸３２でポケット形成部１１側が凹３１であってもよいし、その逆でもよい。
【００４７】
上記した実施形態では、ボタン２５をボタン穴２０に係合させて、閉塞部１２をポケット形成部１１に固定したが、本考案はこれに限定されるものではなく、ボタン２５とボタン穴２０の代わりに、図１１のように対をなすカギホックであってもよい。すなわち、閉塞部１２側が輪３５でポケット形成部１１側が鉤３６であってもよいし、その逆でもよい。
【００４８】
上記した実施形態では、ボタン２５とボタン穴２０をそれぞれ１つ設けていたが、本考案はこれに限定されるものではなく、図１２のようにボタン２５とボタン穴２０を複数設けてもよい。
【００４９】
上記した実施形態では、シャツ１は、長袖シャツであったが、本考案はこれに限定されるものではなく、シャツ１は、半袖シャツや半端袖のシャツ等であってもよい。
【００５０】
上記した実施形態では、ボタン穴２０は、厚み方向に貫通した貫通孔であったが、本考案はこれに限定されるものではなく、ボタン穴２０は、厚み方向に底を持つ有底穴であってもよい。
【００５１】
上記した実施形態では、ポケット１０が胸ポケットである場合について説明したが、本考案はこれに限定されるものではなく、ポケット１０の位置は限定されない。また、ポケット１０の大きさも限定されない。
【００５２】
上記した実施形態では、前身頃２に閉塞部１２を縫い付けて片持ち状に固定したが、本考案はこれに限定されるものではなく、ポケット形成部１１に閉塞部１２を縫い付けて片持ち状に固定してもよい。この場合、前身頃２にボタン２５又はボタン穴２０を設け、閉塞部１２にボタン穴２０又はボタン２５を設けることが好ましい。
【符号の説明】
【００５３】
１  シャツ
２  前身頃
３  後身頃
１０  ポケット
１１  ポケット形成部
１２  閉塞部
１７  収容空間
１８  開口
２０  ボタン穴（本体側係合部）
２５  ボタン（閉塞側係合部）
１００  携帯端末（被収容物）
【図１】
0003201468.tif 000003
【図２】
0003201468.tif 000004
【図３】
0003201468.tif 000005
【図４】
0003201468.tif 000006
【図５】
0003201468.tif 000007
【図６】
0003201468.tif 000008
【図７】
0003201468.tif 000009
【図８】
0003201468.tif 000010
【図９】
0003201468.tif 000011
【図１０】
0003201468.tif 000012
【図１１】
0003201468.tif 000013
【図１２】
0003201468.tif 000014